(57)【要約】【課題】着用者の高次光学収差および着用者の基本的な屈折異常を矯正する老眼矯正レンズを提供する。【解決手段】本発明は、レンズ使用者の眼の低次波面収差および高次波面収差の両方を矯正する眼用レンズの設計方法、およびこの方法で製造されたレンズを提供する。【選択図】なし【特許請求の範囲】
【請求項１】
個人用の一対の眼用レンズを製造する方法において、
ａ．）少なくとも一つの遠距離の固定目標を与えることにより、前記個人のきき眼の第一の基本的な屈折処方を測定する工程と、
ｂ．）少なくとも一つの遠距離の固定目標を与えることにより、前記個人の非きき眼の第二の基本的な屈折処方を測定し、少なくとも一つの近距離の固定目標を与えることにより、前記非きき眼の近距離の屈折処方を測定する工程と、
ｃ．）少なくとも一つの遠距離の固定目標を与えることにより、前記きき眼の第一の組の高次波面収差を測定する工程と、
ｄ．）少なくとも一つの近距離の固定目標を与えることにより、前記非きき眼の第二の組の高次波面収差を測定する工程と、
ｅ．）前記第一および第二の組の高次波面収差の測定値のそれぞれを、高さの差に変換する工程と、
ｆ．）前記きき眼についての前記第一の基本的な屈折処方および前記高さの差を使用して第一の眼用レンズを提供し、前記非きき眼についての前記第二の基本的な屈折処方、前記近距離の屈折処方、および前記高さの差を使用して第二の眼用レンズを提供する工程と、
を含む、方法。
【請求項２】
個人用の一対の眼用レンズを製造する方法において、
ａ．）少なくとも一つの遠距離の固定目標を与えることにより、前記個人のきき眼の第一の基本的な屈折処方を測定する工程と、
ｂ．）少なくとも一つの遠距離の固定目標を与えることにより、前記個人の非きき眼の第二の基本的な屈折処方を測定し、少なくとも一つの近距離の固定目標を与えることにより、前記非きき眼の近距離の屈折処方を測定する工程と、
ｃ．）少なくとも一つの遠距離の固定目標を与えることにより、前記きき眼の第一の組の高次波面収差を測定する工程と、
ｄ．）少なくとも一つの遠距離の固定目標を与えることにより、前記非きき眼の第二の組の高次波面収差を測定し、少なくとも一つの近距離の固定目標を与えることにより、前記非きき眼の第三の組の高次波面収差を測定する工程と、
ｅ．）前記第一の組の高次波面収差の測定値のそれぞれを、第一の高さの差に変換する工程と、
ｆ．）測定された前記第二の組および第三の組の高次波面収差の平均測定値を計算し、前記平均測定値を第二の高さの差に変換する工程と、
ｇ．）前記きき眼についての前記第一の基本的な屈折処方および前記第一の高さの差を使用して第一の眼用レンズを提供し、前記非きき眼についての前記第二の基本的な屈折処方、前記近距離の屈折処方、および前記第二の高さの差を使用して第二の眼用レンズを提供する工程と、
を含む、方法。
【請求項３】
個人用の一対の眼用レンズを製造する方法において、
ａ．）少なくとも一つの遠距離の固定目標を与えることにより、前記個人のきき眼の第一の基本的な屈折処方を測定する工程と、
ｂ．）少なくとも一つの遠距離の固定目標を与えることにより、前記個人の非きき眼の第二の基本的な屈折処方を測定し、少なくとも一つの近距離の固定目標を与えることにより、前記非きき眼の近距離の屈折処方を測定する工程と、
ｃ．）少なくとも一つの遠距離の固定目標を与えることにより、前記きき眼の第一の組の高次波面収差を測定し、少なくとも一つの近距離の固定目標を与えることにより、第二の組の高次波面収差を測定する工程と、
ｄ．）前記第一および第二の組の波面収差の測定値の平均値を計算する工程と、
ｅ．）工程ｄ．で計算された前記平均波面収差を、第一の高さの差に変換する工程と、
ｆ．）少なくとも一つの遠距離の固定目標を与えることにより、前記非きき眼の第三の組の高次波面収差を測定し、少なくとも一つの近距離の固定目標を与えることにより、前記非きき眼の第四の組の高次波面収差を測定する工程と、
ｇ．）前記第三および第四の組の波面収差の測定値の平均値を計算する工程と、
ｈ．）工程ｆ．で計算された前記平均波面収差を、第二の高さの差に変換する工程と、
ｉ．）前記きき眼についての前記第一の基本的な屈折処方および前記第一の高さの差を使用して第一の眼用レンズを提供し、前記非きき眼についての前記第二の基本的な屈折処方、前記近距離の屈折処方、および前記第二の高さの差を使用して第二の眼用レンズを提供する工程と、
を含む、方法。
【請求項４】
個人用の一対の眼用レンズを製造する方法において、
ａ．）少なくとも一つの遠距離の固定目標を与えることにより、前記個人のきき眼の第一の基本的な屈折処方を測定する工程と、
ｂ．）少なくとも一つの遠距離の固定目標を与えることにより、前記個人の非きき眼の第二の基本的な屈折処方を測定する工程と、
ｃ．）少なくとも一つの遠距離の固定目標を与えることにより、前記きき眼の第一の組の高次波面収差を測定し、少なくとも一つの近距離の固定目標を与えることにより、第二の組の高次波面収差を測定する工程と、
ｄ．）前記第一および第二の組の波面収差の測定値の平均値を計算する工程と、
ｅ．）工程ｄ．で計算された前記平均波面収差を、第一の高さの差に変換する工程と、
ｆ．）少なくとも一つの遠距離の固定目標を与えることにより、前記非きき眼の第三の組の高次波面収差を測定し、少なくとも一つの近距離の固定目標を与えることにより、前記非きき眼の第四の組の高次波面収差を測定する工程と、
ｇ．）前記第三および第四の組の波面収差の測定値の平均値を計算する工程と、
ｈ．）工程ｆ．で計算された前記平均波面収差を、第二の高さの差に変換する工程と、
ｉ．）前記きき眼についての前記第一の基本的な屈折処方および前記第一の高さの差を使用して第一の眼用レンズを提供し、前記非きき眼についての前記第二の基本的な屈折処方および前記第二の高さの差を使用して第二の眼用レンズを提供する工程と、
を含む、方法。
【請求項５】
レンズにおいて、
請求項１の方法によって製造される、レンズ。
【請求項６】
レンズにおいて、
請求項２の方法によって製造される、レンズ。
【請求項７】
レンズにおいて、
請求項３の方法によって製造される、レンズ。
【請求項８】
レンズにおいて、
請求項４の方法によって製造される、レンズ。
【発明の詳細な説明】
【開示の内容】
【０００１】
〔本発明の分野〕
本発明は、老眼を矯正する眼用レンズに関する。特に、本発明は、着用者の高次光学収差および着用者の基本的な屈折異常を矯正する老眼矯正レンズを提供するものである。
【０００２】
〔本発明の背景〕
個人が年をとるに従い、眼は、観察者の比較的近くにある物に焦点を合わせるために、生まれつきの水晶体（natural lens）の調節をする能力、すなわち生まれつきの水晶体を曲げる能力、がより小さくなる。この状態は老眼として知られている。同様に、生まれつきの水晶体を取り除き、眼内レンズをその代わりに挿入した人にとっては、そのような調節をする能力は欠けている。
【０００３】
眼鏡着用者の老眼を矯正しようとして、多くのレンズデザインが使用されてきた。既知のデザインの中には、二焦点(bifocal)眼鏡レンズと多重焦点(progressive)眼鏡レンズがある。更に、多焦点(multifocal)コンタクトレンズ、多焦点眼内レンズおよび単眼視野(monovision)コンタクトレンズが知られている。
【０００４】
単眼視野コンタクトレンズは、着用者の遠視力を矯正し、きき眼、すなわちその人の遠視力を支配する眼に掛けられる１つのレンズを提供する。更に、着用者の近見視力を矯正し、非きき眼に掛けられる第二のレンズも提供されている。これらのレンズは、例えばピンぼけおよび乱視といった低次の光学的収差を矯正するのみで、レンズ着用者の高次の収差は矯正されないままになるので不都合である。
【０００５】
〔本発明の詳細な説明と好ましい実施形態〕
本発明は、眼用レンズの設計方法、およびその方法によって製造されたレンズを提供する。このレンズは、レンズ着用者の眼の低次波面収差および高次波面収差の両方を矯正する。本発明の方法により製造されたレンズは、老眼矯正のために使用される従来のコンタクトレンズと比較して、着用者に対し、向上した両眼視力、より大きい焦点深度および、向上したコントラストを与える点で有利である。
【０００６】
一実施形態では、本発明により、個人用の一対の眼用レンズを製造する方法であって、ａ．）少なくとも一つの遠距離の固定目標を与えることにより、当該個人のきき眼の第一の基本的な屈折処方を測定する工程、ｂ．）少なくとも一つの遠距離の固定目標を与えることにより、前記個人の非きき眼の第二の基本的な屈折処方を測定し、少なくとも一つの近距離の固定目標を与えることにより、当該非きき眼の近距離の屈折処方を測定する工程、ｃ．）少なくとも一つの遠距離の固定目標を与えることにより、前記きき眼の第一の組の高次波面収差を測定する工程、ｄ．）少なくとも一つの近距離の固定目標を与えることにより、前記非きき眼の第二の組の高次波面収差を測定する工程、ｅ．）前記第一および第二の組の高次波面収差の測定値のそれぞれを高さの差に変換する工程、ならびに、ｆ．）前記きき眼についての前記第一の基本的な屈折処方および高さの差を使用して第一の眼用レンズを提供し、前記非きき眼についての前記第二の基本的な屈折処方、近距離の屈折処方および高さの差を使用して第二の眼用レンズを提供する工程を含む方法、本質的にこれらの工程からなる方法、およびこれらの工程からなる方法が提供される。
【０００７】
「レンズ」とは、眼鏡レンズ、コンタクトレンズ、眼内レンズ、角膜インプラントレンズ、上張りレンズ(onlay lens)等、またはこれらの組み合わせを意味する。好ましくは、本発明のレンズはコンタクトレンズである。
【０００８】
「基本的な屈折処方（basic refractive prescription）」とは、遠視力を矯正するのに必要な遠距離屈折力(distance power)、および乱視を矯正するのに必要な円柱屈折力(cylinder power)を意味する。
【０００９】
「近距離の屈折処方（near refractive prescription）」とは、近見視力を矯正するのに必要な近距離屈折力または追加の屈折力を意味する。
【００１０】
「きき眼（dominant eye）」とは、遠視力について支配的である眼を意味する。
【００１１】
「遠距離の固定目標（far fixation target）」とは、個人の眼から約１５フィート（約４５７．２ｃｍ）以上のところにある視覚目標を意味する。「近距離の固定目標（near fixation target）」とは、個人の眼から約３０〜約５０ｃｍのところにある視覚目標を意味する。
【００１２】
本発明の第一のステップでは、レンズ着用者の第一と第二の基本的な屈折処方が、少なくとも一つの遠距離の固定目標を用いて、個人のきき眼および非きき眼について、それぞれ測定される。このような測定には、フォロプター、オートレフラクター(autorefractor)、トライアルケースレンズ(trial case lens)等の使用を含むがこれらに限定されない任意の従来法を使用することができる。あるいは、眼用波面分析により測定を実行し得る。
【００１３】
本発明のもう一つのステップでは、個人の非きき眼について、少なくとも一つの近距離の固定目標を使用して近距離の屈折処方が測定される。このような測定には、フォロプター、オートレフラクター(autorefractor)、トライアルケースレンズ(trial case lens)等の使用を含むがこれらに限定されない任意の従来法を使用することができる。あるいは、近距離の固定目標を与えることができる、改造された波面収差計を使用して測定を行い得る。
【００１４】
本発明の方法のさらにもう一つのステップでは、個人のきき眼および非きき眼のそれぞれについて、高次波面収差が、遠距離の固定目標において測定される。「高次波面収差（high order wavefront aberrations）」とは、低次の球(sphere)および円柱以外の波面収差を意味する。「波面収差」とは、眼から現れる平面波面(plane wavefront)、または網膜上に集まる完全球状波面(perfect spherical wavefront)と比較した場合の、球面収差、乱視、コマ(coma)およびその他の眼から現れる歪みについての波面間の相違を意味する。本発明の方法では、きき眼についての高次波面測定は、レンズ着用者に少なくとも一つの遠距離の固定目標を与えることによって行われる。個人の非きき眼についての高次波面収差は、少なくとも一つの近距離の固定目標において測定される。
【００１５】
収差測定を実行するための装置には、収差鏡(aberroscope)、点ひろがりまたは線ひろがりによって眼の変調伝達関数(Modulation Transfer Function)を測定するデバイス、あるいは、眼の光学波面を測定し、推定し、補間し、または計算する任意の類似のデバイスが含まれるが、これらに限られるわけではない。遠視力目標（distance vision target）を測定することができる収差鏡は、ニューメキシコ州アルバカーキのWavefront Sciences, Inc,から入手可能である。近距離の目標を測定するためにこのような収差鏡、および収差測定に利用可能なその他のデバイスを使用する方法は本技術分野で周知である。
【００１６】
収差測定値が一旦得られたならば、次いで、そのそれぞれを高さの差に数学的に変換し、これによって、光路差として知られる、指定の平均球値(mean sphere value)の上下におけるエレベーションマップ(elevation map)を得ることができる。収差の矯正は、眼の収差による歪みを相殺する、光路差または収差逆フィルター(aberration inverse filter)をレンズデザインに導入することによって与えられる。
【００１７】
次いで、高さの差が、基本的な屈折処方とオプションの角膜形状データと共に使用されて、着用者にレンズが与えられる。データは、レンズまたはレンズ型の表面を、コンピュータ数値制御（「ＣＮＣ」）旋盤、ポリマーボタンの直接の機械加工、フライス板切削、レーザーアブレーション、射出成形インサート等またはこれらの組み合わせを用いて細工することができるメカニズムに対応するように、直線状フォーマット、ポーラーコンセントリック(polar concentric)フォーマットまたはらせんフォーマットのグリッドパターンに変形することができる。収差の矯正を達成するためにレンズ表面のエレベーションまたは傾斜に要求される変化は、レンズの前面、背面、またはこれらの組み合わせへ組み込まれ得る。
【００１８】
本発明の一実施形態では、レンズの前面（または凸面）あるいは背面（または凹面）のどちらか一方に、レンズ着用者の基本的な屈折処方を組み込み、非きき眼用レンズの場合には、近距離の屈折処方も組み込む。レンズの反対側の表面には、レンズ着用者の高次波面収差を矯正する光学ゾーンが含まれる。代替的実施形態では、好ましくは、基本的な屈折処方と収差矯正とのどちらか一方または両方を、きき眼用レンズの前面と背面との間で分けることができ、同様に、基本的な屈折処方、近距離の屈折処方および収差矯正を、非きき眼用レンズの表面間で分けることができる。さらに他の一実施形態では、屈折処方および収差矯正の全てが、レンズの前面または背面になされてよい。角膜形状データがレンズデザインに組み込まれる場合、好ましくは、屈折処方および収差矯正の全てが前面にあり、形状データが背面のデザインに使用される。
【００１９】
本発明のコンタクトレンズについては、基本的な屈折力および近距離屈折力の両方が環状ゾーンの形状で与えられる実施形態では、基本的な屈折力の環状ゾーンが、近距離屈折力の環状ゾーンと互い違いになることが好ましい。更に、円柱屈折力、プリズム屈折力またはその両方が、基本的な屈折力および近距離屈折力のどちらか一方または両方と組み合わされ得る。
【００２０】
コンタクトレンズにおいて、近距離屈折力の環状ゾーンおよび基本的な屈折力の環状ゾーンの両方がきき眼のコンタクトレンズに使用されるケースでは、基本的な屈折力および近距離屈折力に充てられたレンズの光学領域の比率は、より多くの領域が遠距離屈折力に充てられるようになっていなければならない。非きき眼用レンズについては、より多くのレンズ領域が、近距離屈折力に割り当てられる。きき眼用レンズおよび非きき眼用レンズの両方についてパーセントベースで好ましい領域は、米国特許第５，８３５，１９２号、第５，４８５，２２８号および第５，４４８，３１２号に開示されている。
【００２１】
他の一実施形態では、本発明により、個人用の一対の眼用レンズを製造する方法において、ａ．）少なくとも一つの遠距離の固定目標を与えることにより、当該個人のきき眼の第一の基本的な屈折処方を測定する工程、ｂ．）少なくとも一つの遠距離の固定目標を与えることにより、前記個人の非きき眼の第二の基本的な屈折処方を測定し、少なくとも一つの近距離の固定目標を与えることにより、前記非きき眼の近距離の屈折処方を測定する工程、ｃ．）少なくとも一つの遠距離の固定目標を与えることにより、前記きき眼の第一の組の高次波面収差を測定する工程、ｄ．）少なくとも一つの遠距離の固定目標を与えることにより、前記非きき眼の第二の組の高次波面収差を測定し、少なくとも一つの近距離の固定目標を与えることにより、前記非きき眼の第三の組の高次波面収差を測定する工程、ｅ．）前記第一の組の高次波面収差の測定値を第一の高さの差に変換する工程、ｆ．）測定された第二の組および第三の組の高次波面収差の平均測定値を計算し、当該平均測定値を第二の高さの差に変換する工程、ならびに、ｇ．）前記きき眼についての前記第一の基本的な屈折処方および前記第一の高さの差を使用して第一の眼用レンズを提供し、前記非きき眼についての前記第二の基本的な屈折処方、近距離の屈折処方および第二の高さの差を使用して第二の眼用レンズを提供する工程を含み、本質的にこれらの工程からなり、かつ、これらの工程からなる、方法が提供される。本発明の更に他の実施形態では、きき眼および非きき眼の両方について、近距離の固定目標および遠距離の固定目標において、高次波面収差が測定され得、それぞれの眼について、これらの波面の平均値が計算され得る。さらに他の一実施形態では、きき眼および非きき眼の両方について、近距離の固定目標および遠距離の固定目標において高次波面収差が測定され、それぞれの眼について、これらの波面の平均値が計算され得る。しかしながら、非きき眼については、近距離の屈折処方は測定されない。
【００２２】
これらの実施形態のいずれの場合でも、平均測定値の計算は、任意の便利な方法によって行い得る。たとえば、計算結果は、Zernike項の平均、Zernike項の加重平均、またはZernike項の指数的な加重平均を計算することによって与えられ得る。あるいは、平均値は、画質距離関数(image quality metrics)の最適化、総波面ＲＭＳの最小化、選ばれた波面項（selected wavefront terms）の選択的な最小化、ＰＳＦ半値バンド幅（PSF one-half bandwidth）の最適化、または、視覚シュトレール比(Strehl ratios)、ＭＴＦもしくはＯＴＦのいずれかの最適化によっても計算し得る。
【００２３】
本発明のレンズのさらに他の実施形態では、一方のレンズまたは両方のレンズの背面が、着用者の角膜形状と合致される。レンズ着用者の角膜の逆形状エレベーションマップ(inverse topographic elevation map)を組み入れたレンズについては、任意の既知の方法で角膜形状を決定し得る。この方法には角膜トポグラファーの使用による方法が含まれるが、これに限られるわけではない。ソフトコンタクトレンズ製造については、当初、エレベーションデータが、屈曲のない状態のレンズモデルに適用される。次に、レンズが眼上に置かれたときのソフトレンズの屈曲またはラップ(wrap)を考慮することによってデータが変形される。このようにして、角膜形状のデータを使用するときには、角膜のエレベーションおよびラップの両方の影響が考慮される。次いで、屈曲変形されたデータは、ＣＮＣグリッドパターンにマップされ、レンズあるいは型のツール面を作製するのに用いられ得る。
【００２４】
本発明に有用なコンタクトレンズは、ハードレンズまたはソフトレンズであり得る。好ましくは、ソフトコンタクトレンズを生産するのに適した任意の材料から作製されたソフトコンタクトレンズが使用される。本発明のレンズは、収差矯正ならびに遠距離の光学的屈折力および近距離の光学的屈折力に加えて、表面に組み込まれた、たとえば円柱屈折力等のいろいろな矯正光学特性のいずれかを有し得る。
【００２５】
本発明のコンタクトレンズは、任意の従来法によって形成され得る。たとえば、その中に形成された環状ゾーンは、ダイアモンド旋盤加工によって互い違いの半径（alternating radii）を用いて生成され得る。これらのゾーンは、ダイアモンド旋盤加工されて、本発明のレンズを形成するために使用される型にされ得る。その後、型間に適切な液体樹脂を置き、続いて、樹脂を圧縮および硬化して本発明のレンズを形成する。あるいは、ゾーンを、ダイアモンド旋盤加工して、レンズボタンとすることができる。
【００２６】
他の一実施形態では、眼鏡レンズ対のそれぞれのレンズに上記の矯正が与えられる。眼鏡レンズは任意の既知の方法で形成することができる。この方法には、レンズブランクの研削、鋳造、成型、またはそれらの組合せが含まれるが、これらに限られるわけではない。好ましい一実施形態では、きき眼についての基本的な屈折処方、ならびに非きき眼についての基本的な屈折処方および近距離の屈折処方のうちいくつかまたは全てを持つ光学的な予備的形成品を使用し、収差矯正と、オプションでさらなる基本的な屈折処方力（refractive prescription power）とを与えるように、一以上の表面をその光学的な予備的形成品上に鋳造する。
【００２７】
〔実施の態様〕
本発明の好ましい実施態様は以下の通りである。
（１）  個人用の一対の眼用レンズを製造する方法において、
ａ．）少なくとも一つの遠距離の固定目標を与えることにより、前記個人のきき眼の第一の基本的な屈折処方を測定する工程と、
ｂ．）少なくとも一つの遠距離の固定目標を与えることにより、前記個人の非きき眼の第二の基本的な屈折処方を測定し、少なくとも一つの近距離の固定目標を与えることにより、前記非きき眼の近距離の屈折処方を測定する工程と、
ｃ．）少なくとも一つの遠距離の固定目標を与えることにより、前記きき眼の第一の組の高次波面収差を測定する工程と、
ｄ．）少なくとも一つの近距離の固定目標を与えることにより、前記非きき眼の第二の組の高次波面収差を測定する工程と、
ｅ．）前記第一および第二の組の高次波面収差の測定値のそれぞれを、高さの差に変換する工程と、
ｆ．）前記きき眼についての前記第一の基本的な屈折処方および前記高さの差を使用して第一の眼用レンズを提供し、前記非きき眼についての前記第二の基本的な屈折処方、前記近距離の屈折処方、および前記高さの差を使用して第二の眼用レンズを提供する工程と、
を含む、方法。
（２）  個人用の一対の眼用レンズを製造する方法において、
ａ．）少なくとも一つの遠距離の固定目標を与えることにより、前記個人のきき眼の第一の基本的な屈折処方を測定する工程と、
ｂ．）少なくとも一つの遠距離の固定目標を与えることにより、前記個人の非きき眼の第二の基本的な屈折処方を測定し、少なくとも一つの近距離の固定目標を与えることにより、前記非きき眼の近距離の屈折処方を測定する工程と、
ｃ．）少なくとも一つの遠距離の固定目標を与えることにより、前記きき眼の第一の組の高次波面収差を測定する工程と、
ｄ．）少なくとも一つの遠距離の固定目標を与えることにより、前記非きき眼の第二の組の高次波面収差を測定し、少なくとも一つの近距離の固定目標を与えることにより、前記非きき眼の第三の組の高次波面収差を測定する工程と、
ｅ．）前記第一の組の高次波面収差の測定値のそれぞれを、第一の高さの差に変換する工程と、
ｆ．）測定された前記第二の組および第三の組の高次波面収差の平均測定値を計算し、前記平均測定値を第二の高さの差に変換する工程と、
ｇ．）前記きき眼についての前記第一の基本的な屈折処方および前記第一の高さの差を使用して第一の眼用レンズを提供し、前記非きき眼についての前記第二の基本的な屈折処方、前記近距離の屈折処方、および前記第二の高さの差を使用して第二の眼用レンズを提供する工程と、
を含む、方法。
（３）  個人用の一対の眼用レンズを製造する方法において、
ａ．）少なくとも一つの遠距離の固定目標を与えることにより、前記個人のきき眼の第一の基本的な屈折処方を測定する工程と、
ｂ．）少なくとも一つの遠距離の固定目標を与えることにより、前記個人の非きき眼の第二の基本的な屈折処方を測定し、少なくとも一つの近距離の固定目標を与えることにより、前記非きき眼の近距離の屈折処方を測定する工程と、
ｃ．）少なくとも一つの遠距離の固定目標を与えることにより、前記きき眼の第一の組の高次波面収差を測定し、少なくとも一つの近距離の固定目標を与えることにより、第二の組の高次波面収差を測定する工程と、
ｄ．）前記第一および第二の組の波面収差の測定値の平均値を計算する工程と、
ｅ．）工程ｄ．で計算された前記平均波面収差を、第一の高さの差に変換する工程と、
ｆ．）少なくとも一つの遠距離の固定目標を与えることにより、前記非きき眼の第三の組の高次波面収差を測定し、少なくとも一つの近距離の固定目標を与えることにより、前記非きき眼の第四の組の高次波面収差を測定する工程と、
ｇ．）前記第三および第四の組の波面収差の測定値の平均値を計算する工程と、
ｈ．）工程ｆ．で計算された前記平均波面収差を、第二の高さの差に変換する工程と、
ｉ．）前記きき眼についての前記第一の基本的な屈折処方および前記第一の高さの差を使用して第一の眼用レンズを提供し、前記非きき眼についての前記第二の基本的な屈折処方、前記近距離の屈折処方、および前記第二の高さの差を使用して第二の眼用レンズを提供する工程と、
を含む、方法。
（４）  個人用の一対の眼用レンズを製造する方法において、
ａ．）少なくとも一つの遠距離の固定目標を与えることにより、前記個人のきき眼の第一の基本的な屈折処方を測定する工程と、
ｂ．）少なくとも一つの遠距離の固定目標を与えることにより、前記個人の非きき眼の第二の基本的な屈折処方を測定する工程と、
ｃ．）少なくとも一つの遠距離の固定目標を与えることにより、前記きき眼の第一の組の高次波面収差を測定し、少なくとも一つの近距離の固定目標を与えることにより、第二の組の高次波面収差を測定する工程と、
ｄ．）前記第一および第二の組の波面収差の測定値の平均値を計算する工程と、
ｅ．）工程ｄ．で計算された前記平均波面収差を、第一の高さの差に変換する工程と、
ｆ．）少なくとも一つの遠距離の固定目標を与えることにより、前記非きき眼の第三の組の高次波面収差を測定し、少なくとも一つの近距離の固定目標を与えることにより、前記非きき眼の第四の組の高次波面収差を測定する工程と、
ｇ．）前記第三および第四の組の波面収差の測定値の平均値を計算する工程と、
ｈ．）工程ｆ．で計算された前記平均波面収差を、第二の高さの差に変換する工程と、
ｉ．）前記きき眼についての前記第一の基本的な屈折処方および前記第一の高さの差を使用して第一の眼用レンズを提供し、前記非きき眼についての前記第二の基本的な屈折処方および前記第二の高さの差を使用して第二の眼用レンズを提供する工程と、
を含む、方法。
（５）  レンズにおいて、
実施態様１の方法によって製造される、レンズ。
（６）  レンズにおいて、
実施態様２の方法によって製造される、レンズ。
（７）  レンズにおいて、
実施態様３の方法によって製造される、レンズ。
（８）  レンズにおいて、
実施態様４の方法によって製造される、レンズ。
【国際調査報告】
2009514023.tif 000002
2009514023.tif 000003
2009514023.tif 000004